(57)【要約】【課題】電子オルガンなどの電子鍵盤楽器が備える鍵盤蓋が鍵盤および鍵盤の近傍に設置されたＣＤドライブなどの入出力部を覆うように閉じる際に、鍵盤蓋が入出力部や入出力部とデータの入出力可能な電子機器、メディアと接触するのを回避すること。【解決手段】蓋検出センサ３２からの出力信号に基づき鍵盤蓋４０がケース４４内から前方に引き出されたことを検出した場合に、ＣＤドライブからの出力信号に基づきＣＤドライブのトレイ３１ａが装置外部に排出されていると判断したときには、鍵盤蓋４０とトレイ３１ａとの接触が発生する可能性があると判断して、トレイ３１ａを装置内部へ収納するよう指示する指示信号をＣＤドライブの制御部に対して送信する。ＣＤドライブでは、トレイ３１ａが装置外部に排出されているときには、受信した指示信号に応じて、トレイ３１ａを装置内部へ収納させる。【選択図】図２
2009244510.tif 000002
【特許請求の範囲】
【請求項１】
演奏者から見て左右方向に並ぶ複数の鍵を有する鍵盤を備え、前記鍵盤に対する前記演奏者による押鍵動作に応じて電子音を発生させる電子鍵盤楽器であって、
前記鍵盤の近傍に設置され、電子機器またはメディアとの間でデータを入出力する入出力部と、
前記鍵盤および前記入出力部の上方を覆う位置である閉蓋位置と前記鍵盤および前記入出力部の上方を開放する位置である開蓋位置との間を移動可能な鍵盤蓋と、
前記閉蓋位置と前記開蓋位置との間で前記鍵盤蓋を案内する鍵盤蓋案内部と、
前記開蓋位置から前記閉蓋位置へ移動する前記鍵盤蓋を検出可能な鍵盤蓋検出手段と、
前記鍵盤蓋検出手段によって前記開蓋位置から前記閉蓋位置へ移動する前記鍵盤蓋が検出された場合に、前記開蓋位置から前記閉蓋位置へ移動する前記鍵盤蓋と前記入出力部、前記電子機器または前記メディアの少なくとも何れか一つとの接触が発生する可能性があるか否かを判断する接触判断手段と、
前記接触判断手段によって前記接触が発生する可能性があると判断された場合に、前記接触の発生を回避するための回避動作を実行する回避動作実行手段と、
を備えることを特徴とする電子鍵盤楽器。
【請求項２】
請求項１に記載の電子鍵盤楽器において、
前記回避動作実行手段は、電子音を放音可能な放音手段を有し、前記回避動作として、前記接触の発生を回避するよう促す旨の警告音を前記放音手段に放音させることを特徴とする電子鍵盤楽器。
【請求項３】
請求項１または請求項２に記載の電子鍵盤楽器において、
前記回避動作実行手段は、各種情報を表示可能な表示手段を有し、前記回避動作として、前記接触の発生を回避するよう促す旨の情報を前記表示手段に表示させることを特徴とする電子鍵盤楽器。
【請求項４】
請求項１〜請求項３の何れかに記載の電子鍵盤楽器において、
前記回避動作実行手段は、前記鍵盤蓋が前記閉蓋位置へ移動するのを規制可能な規制手段を有し、前記回避動作として、前記鍵盤蓋が前記閉蓋位置へ移動するのを前記規制手段によって規制することを特徴とする電子鍵盤楽器。
【請求項５】
請求項４に記載の電子鍵盤楽器において、
前記規制手段は、前記開蓋位置と前記閉蓋位置との間に移動可能であり、
前記回避動作実行手段は、前記回避動作として、前記規制手段を前記開蓋位置と前記閉蓋位置との間に移動させることで、前記鍵盤蓋が前記閉蓋位置へ移動するのを規制すること
を特徴とする電子鍵盤楽器。
【請求項６】
請求項４に記載の電子鍵盤楽器において、
前記規制手段は、前記開蓋位置から前記閉蓋位置へ移動する前記鍵盤蓋に当接可能であり、
前記回避動作実行手段は、前記回避動作として、前記開蓋位置から前記閉蓋位置へ移動する前記鍵盤蓋に前記規制手段を当接させることで、前記鍵盤蓋が前記閉蓋位置へ移動するのを規制すること
を特徴とする電子鍵盤楽器。
【請求項７】
請求項１〜請求項６の何れかに記載の電子鍵盤楽器において、
前記入出力部は、前記入出力部の内部に収納される収納位置と前記入出力部の外部に排出される排出位置との間で移動可能な可動部と、前記可動部を前記収納位置と前記排出位置との間で移動させる制御部と、を有し、
前記回避動作実行手段は、前記回避動作として、前記可動部を前記収納位置へ移動させるよう指示する指示信号を前記入出力部の前記制御部に対して出力し、
前記入出力部の前記制御部は、前記可動部が前記排出位置にある場合には、前記指示信号に応じて前記可動部を前記収納位置へ移動させること
を特徴とする電子鍵盤楽器。
【発明の詳細な説明】
【技術分野】
【０００１】
本発明は、電子オルガンなどの電子鍵盤楽器が備える鍵盤蓋が鍵盤および鍵盤の近傍に設置されたＣＤドライブなどの入出力部を覆うように閉じる際に、鍵盤蓋が入出力部や入出力部とデータの入出力可能な電子機器、メディアと接触するのを回避する技術に関する。
【背景技術】
【０００２】
従来より、電子オルガンなどの電子鍵盤楽器が備える鍵盤や操作パネルを不使用時に覆って保護する鍵盤蓋が知られている。
この種の鍵盤蓋には、特許文献１に例示されるようなスライド式の鍵盤蓋がある。このスライド式の鍵盤蓋は、演奏者から見て前後方向に並ぶ多数の細長い板状の蓋部材が蝶番により互いに連結されて構成され、不使用時には前方に引き出されて鍵盤および操作パネルを覆って閉じられ、使用時には開放されてガイドに沿って楽器本体のケース内に収納される。
【特許文献１】実開平０６−２７８３号（第４頁、図３）
【発明の開示】
【発明が解決しようとする課題】
【０００３】
ところで、電子鍵盤楽器の中には、鍵盤の近傍や操作パネルの近傍にＣＤドライブを備えるものがある。このＣＤドライブの中には、コンパクトディスクを載置可能なトレイを有し、コンパクトディスクを出し入れする際にはトレイを装置外部に排出させ、コンパクトディスクを再生する際にはトレイを装置内部に収納するようになっているものがある。なお、このようなトレイの出し入れについては、ＣＤドライブが備える操作スイッチから指示することもできるし、電子鍵盤楽器の操作パネルから遠隔で指示することもできる。
【０００４】
しかしながら、ＣＤドライブのトレイが装置外部に排出された状態である場合に鍵盤蓋を閉蓋させると、移動する鍵盤蓋がＣＤドライブのトレイに接触するおそれがあった。なお、このようなことはＣＤドライブを備える場合に限られず、ＤＶＤドライブなどの出し入れ可能なトレイを有する機器を備える場合においても同様である。
【０００５】
また、コンパクトディスクを挿入口から装置内部へ挿入可能なＣＤドライブからコンパクトディスクが排出されたままになっている場合や、フロッピーディスク（登録商標）を挿入口から装置内部へ挿入可能なＦＤドライブからフロッピーディスク（登録商標）が排出されたままになっている場合などでも同様である。
【０００６】
また、電子鍵盤楽器の中には、鍵盤近傍にヘッドフォン用出力端子を備えるものがあるが、このようなヘッドフォン用出力端子にヘッドフォンのジャックが挿入された状態である場合に鍵盤蓋を閉蓋させると、移動する鍵盤蓋がヘッドフォンのジャックに接触したりヘッドフォンのコードを挟んだりするおそれがあった。なお、このようなことはヘッドフォン用出力端子を備える場合に限られず、ＵＳＢ端子などの端子類を備える場合でも同様である。
【０００７】
なお、このような問題が生じるのは、上述のような多数の蓋部材が蝶番により互いに連結されて構成される鍵盤蓋を備える場合に限られず、例えば、鍵盤および操作パネルの前方側を覆う板状の前蓋と後方側を覆う板状の後蓋とを蝶番で連結した構造を有する鍵盤蓋を備える場合や、回動軸によって楽器本体の蓋支持部に回動可能に支持された鍵盤蓋を備える場合においても同様の問題が生じていた。
【０００８】
本発明は、このような課題に鑑みなされたものであり、その目的とするところは、電子オルガンなどの電子鍵盤楽器が備える鍵盤蓋が鍵盤および鍵盤の近傍に設置されたＣＤドライブなどの入出力部を覆うように閉じる際に、鍵盤蓋が入出力部や入出力部とデータの入出力可能な電子機器、メディアと接触するのを回避する技術を提供することにある。
【課題を解決するための手段】
【０００９】
上記課題を解決するためになされた請求項１に係る電子鍵盤楽器（１：この欄においては、発明に対する理解を容易にするため、必要に応じて「発明を実施するための最良の形態」欄で用いた符号を付すが、この符号によって請求の範囲を限定することを意味するものではない。）は、演奏者から見て左右方向に並ぶ複数の鍵（２１０）を有する鍵盤（２０）を備え、前記鍵盤に対する前記演奏者による押鍵動作に応じた楽音を発生する電子鍵盤楽器であって、前記鍵盤の近傍に設置され、電子機器またはメディアとの間でデータを入出力する入出力部（３１，３５）と、前記鍵盤および前記入出力部の上方を覆う位置である閉蓋位置と前記鍵盤および前記入出力部の上方を開放する位置である開蓋位置との間を移動可能な鍵盤蓋（４０）と、前記閉蓋位置と前記開蓋位置との間で前記鍵盤蓋を案内する鍵盤蓋案内部（４３）と、前記開蓋位置から前記閉蓋位置へ移動する前記鍵盤蓋を検出可能な鍵盤蓋検出手段（３２）と、前記鍵盤蓋検出手段によって前記開蓋位置から前記閉蓋位置へ移動する前記鍵盤蓋が検出された場合に、前記開蓋位置から前記閉蓋位置へ移動する前記鍵盤蓋と前記入出力部、前記電子機器または前記メディアの少なくとも何れか一つとの接触が発生する可能性があるか否かを判断する接触判断手段（１０）と、前記接触判断手段によって前記接触が発生する可能性があると判断された場合に、前記接触の発生を回避するための回避動作を実行する回避動作実行手段（１０）と、を備えることを特徴とする。
【００１０】
このように構成された本発明の電子鍵盤楽器によれば、鍵盤蓋検出手段によって開蓋位置から閉蓋位置へ移動する鍵盤蓋が検出された場合には、接触判断手段が、開蓋位置から閉蓋位置へ移動する鍵盤蓋と入出力部、電子機器またはメディアの少なくとも何れか一つとの接触が発生する可能性があるか否かを判断し、接触判断手段によって前記接触が発生する可能性があると判断された場合には、回避動作実行手段が、前記接触の発生を回避するための回避動作を実行する。つまり、閉蓋中の鍵盤蓋と入出力部などとの接触が発生する可能性があるときには、前記接触を回避するための回避動作を実行する。
【００１１】
したがって、電子オルガンなどの電子鍵盤楽器が備える鍵盤蓋が鍵盤および鍵盤の近傍に設置されたＣＤドライブなどの入出力部を覆うように閉じる際に、鍵盤蓋が入出力部や電子機器、メディアと接触するのを回避することができる。
【００１２】
なお、入出力部の具体例としては、ＣＤドライブやＤＶＤドライブ、ＦＤドライブ、ヘッドフォン用出力端子、ＵＳＢ用入出力端子などが挙げられる。また、電子機器の具体例としては、入出力部としてのヘッドフォン用出力端子に接続されたヘッドフォンのコードおよびジャックや、ＵＳＢ用入出力端子に接続されたＵＳＢメモリなどが挙げられる。また、メディアの具体例としては、ＣＤドライブから排出された状態のコンパクトディスクやＣＤドライブから排出された状態のＤＶＤディスク、ＦＤドライブから排出された状態のフロッピーディスク（登録商標）などが挙げられる。
【００１３】
また、上述の回避動作の具体例としては、次の（イ）〜（ニ）のような動作が挙げられる。
（イ）まず、回避動作の具体例としては、上述のような接触の発生を回避するよう促す旨の警告音を放音することが挙げられる。具体的には、請求項２のように、回避動作実行手段が、電子音を放音可能な放音手段（１９）を有し、回避動作として、前記接触の発生を回避するよう促す旨の警告音を放音手段に放音させることが考えられる。一例を挙げると、ブザー音を放音することや、音声による警告メッセージを放音することなどが挙げられる。このようにすれば、利用者に対して前記接触の発生を回避するよう促すことができる。
【００１４】
（ロ）また、回避動作の具体例としては、上述のような接触の発生を回避するよう促す旨の情報を表示することが考えられる。具体的には、請求項３のように、回避動作実行手段が、各種情報を表示可能な表示手段（３３０）を有し、回避動作として、前記接触の発生を回避するよう促す旨の情報を表示手段に表示させることが考えられる。このようにすれば、利用者に対して前記接触の発生を回避するよう促すことができる。
【００１５】
（ハ）また、回避動作の具体例としては、鍵盤蓋が閉蓋位置へ移動するのを規制することが考えられる。具体的には、請求項４のように、回避動作実行手段が、鍵盤蓋が閉蓋位置へ移動するのを規制可能な規制手段（３４，１３４）を有し、回避動作として、鍵盤蓋が閉蓋位置へ移動するのを規制手段によって規制することが考えられる。このようにすれば、鍵盤蓋が閉蓋位置へ移動するのを規制することで、前記接触の発生を回避することができる。
【００１６】
（ハ−１）より具体的には、規制手段が開蓋位置と閉蓋位置との間に移動可能であり、回避動作実行手段が、回避動作として、規制手段を開蓋位置と閉蓋位置との間に移動させることで、鍵盤蓋が閉蓋位置へ移動するのを規制することが考えられる（請求項５）。一例を挙げると、ソレノイドの先端部を開蓋位置と閉蓋位置との間に移動可能に配置するといった具合である。このようにすれば、鍵盤蓋が閉蓋位置へ移動するのを停止させることで、前記接触の発生を回避することができる。
【００１７】
（ハ−２）また、規制手段が、開蓋位置から閉蓋位置へ移動する鍵盤蓋に当接可能であり、回避動作実行手段が、回避動作として、開蓋位置から閉蓋位置へ移動する鍵盤蓋に規制手段を当接させることで、鍵盤蓋が閉蓋位置へ移動するのを規制することが考えられる（請求項６）。一例を挙げると、ゴム製のブレーキ部材を開蓋位置から閉蓋位置へ移動する鍵盤蓋へ押し付けるようにするといった具合である。このようにすれば、規制手段が鍵盤蓋に当接することで、規制手段と移動する鍵盤蓋との間の摩擦係数が大きくなって抵抗が生じ、鍵盤蓋が移動する速度が遅くなるとともに、利用者の手に伝わる鍵盤蓋の質感が変化するので、利用者に前記接触が発生する可能性があることを知らせることができ、利用者に対して前記接触の発生を回避するよう促すことができる。さらに、規制手段を鍵盤蓋に強く当接させれば、鍵盤蓋が閉蓋位置へ移動するのを停止させることもでき、前記接触の発生を回避することができる。
【００１８】
（ニ）また、回避動作の具体例としては、入出力部の可動部を収納位置へ移動させるよう指示することが考えられる。具体的には、請求項７のように、入出力部（３１）が、入出力部の内部に収納される収納位置と入出力部の外部に排出される排出位置との間で移動可能な可動部（３１ａ）と、可動部を収納位置と排出位置との間で移動させる制御部（３１ｂ）と、を有し、回避動作実行手段が、回避動作として、可動部を収納位置へ移動させるよう指示する指示信号を入出力部の制御部に対して出力し、入出力部の制御部が、可動部が排出位置にある場合には、指示信号に応じて可動部を収納位置へ移動させることが考えられる。このようにすれば、前記接触の発生を回避することができる。
【発明を実施するための最良の形態】
【００１９】
以下に本発明の実施形態を図面とともに説明する。
［第一実施形態］
図１（ａ）は電子オルガン１の構成を示すブロック図であり、図１（ｂ）は電子オルガン１の鍵盤１０を上方から見た外観図であり、図１（ｃ）は図１（ｂ）における操作パネル３０を拡大して示す説明図である。
【００２０】
［電子オルガン１の構成の説明］
電子鍵盤楽器としての電子オルガン１は、図１（ａ）に示すように、ＣＰＵ１０、各種処理をＣＰＵ１０が実行するためのプログラムなどが記憶されているＲＯＭ１１、各種情報を一時記憶するＲＡＭ１２、音源回路（ＴＧとも称する。）１４、波形メモリ１５、デジタル信号処理回路（ＤＳＰとも称する。）１６、Ｄ／Ａ変換回路（Ｄ／Ａとも称する。）１７、スピーカ出力回路１８、スピーカ１９、鍵盤２０、操作パネル３０、ＣＤドライブ３１、鍵盤蓋４０（図２参照）、蓋検出センサ３２、駆動回路３３、蓋ストッパ３４、ヘッドフォン用出力端子３５、ヘッドフォン検出センサ３６、およびシステムバス５０を備える。また、これらのうち、ＣＰＵ１０、ＲＯＭ１１、ＲＡＭ１２、ＴＧ１４、ＤＳＰ１６、鍵盤２０、操作パネル３０、ＣＤドライブ３１、蓋検出センサ３２、駆動回路３３、ヘッドフォン用出力端子３５およびヘッドフォン検出センサ３６は、システムバス５０によりそれぞれデータ送受信可能に接続されている。
【００２１】
波形メモリ１５は、例えばＲＯＭなどの読み出し専用メモリから構成されており、種々の音色を実現するべく、各音色、各鍵域、押鍵速度等に対応した種々の波形データを記憶する。
【００２２】
ＴＧ１４は、種々の波形データを格納している波形メモリ１５から読み込んだ波形データに基づいて楽音波形及び効果音波形を生成してＤＳＰ１６に出力する。
ＤＳＰ１６は、ＴＧ１４によって出力された楽音波形及び効果音波形にエフェクト付与してＤ／Ａ１７に出力する。
【００２３】
Ｄ／Ａ１７は、ＤＳＰ１６が出力するエフェクト付与された楽音波形及び効果音波形に関するデジタル信号をアナログ信号に変換してスピーカ出力回路１８に出力する。
スピーカ出力回路１８は、Ｄ／Ａ１７によって出力されたアナログ信号を増幅してスピーカ１９に出力する。
【００２４】
スピーカ１９は、例えばコーンスピーカなどの音声出力装置から構成されており、スピーカ出力回路１８から出力されたアナログ信号に基づいて楽音を出力する。なお、スピーカ１９は放音手段に該当する。
【００２５】
鍵盤２０は、図１（ｂ）に示すように、出力すべき楽音の音高を選択するための複数の鍵２１０を前後二段に備えている。各鍵２１０に対応して番号（キーコード）が付与されている。このキーコードは、楽音の音高を指定する。また、鍵盤２０には、各鍵２１０に対応して、その鍵２１０の押鍵・離鍵を検出するための鍵スイッチ（図示せず）が設けられている。この鍵スイッチは、接点を備えており、押鍵の場合には接点がオンされ、一方、離鍵の場合には接点がオフされるように構成されている。鍵スイッチの接点がオンまたはオフされた旨の情報は、内蔵するスキャン回路が各鍵スイッチをスキャンすることにより検出され、そのキーコードとともに、システムバス５０に送出される。
【００２６】
操作パネル３０は、図１（ｃ）に示すように、入力パネル３１０および表示手段としての表示パネル３３０を備えている。この操作パネル３０は、鍵盤２０の後方に配置されている。このうち、入力パネル３１０は、電子オルガン１に各種の情報、指令を入力するための複数の操作子３２０から構成されている。複数の操作子３２０として、例えば楽音の音色の種類を選択するための音色スイッチ、エフェクトを選択するためのエフェクトスイッチ、ボリュームコントローラなどが設けられている。入力パネル３１０の操作子３２０が操作された旨の情報は、内蔵するスキャン回路が各操作子３２０をスキャンすることにより検出され、システムバス５０に送出される。また、表示パネル３３０は、例えば液晶ディスプレイなどの画像表示装置から構成されており、ＣＰＵ１０の指示を受けて各種案内情報などを表示する。
【００２７】
ＣＤドライブ３１は、図１（ｂ）に示すように、メディアとしてのコンパクトディスクに記憶された音楽データを当該電子オルガン１に入力したり音楽データをコンパクトディスクを書き込んだりするための装置であり、本実施形態では鍵盤２０の左側に設置されている。また、ＣＤドライブ３１は、コンパクトディスクを載置するためのトレイ３１ａを有している。このトレイ３１ａは、制御部３１ｂに制御されて、装置内部（収納位置）に収納することや、装置外部（排出位置）に排出することが可能に構成されている。また、制御部３１ｂは、トレイ３１ａが装置内部に収納されていることや装置外部に排出されていることを示す信号をシステムバス５０に送出する。また、制御部３１ｂは、操作パネル３０やＣＰＵ１０からの指示信号に基づき、トレイ３１ａを装置内部に収納させたり装置外部に排出させたりすることができる。なお、ＣＤドライブ３１は入出力部に該当し、トレイ３１ａは可動部に該当する。
【００２８】
図２に示すように、鍵盤蓋４０は、演奏者から見て前後方向に並ぶ多数の細長い板状の蓋部材４１が蝶番（図示省略）により互いに連結されて構成され、不使用時には前方に引き出されて鍵盤２０および操作パネル３０を覆って閉じられ（閉蓋位置）、使用時には開放されて鍵盤蓋案内部としてのガイド４３に沿ってケース４４内に収納される（開蓋位置）。なお、図２では、鍵盤蓋４０との位置関係を示すために、２段に構成された鍵盤２０および操作パネル３０を破線で図示し、装置外部に排出されたＣＤドライブ３０のトレイ３１ａを一点鎖線で図示する。
【００２９】
蓋検出センサ３２は、ケース４４内に収納される鍵盤蓋４０の先頭部分の近傍に配置され、ケース４４から前方に引き出され始めた鍵盤蓋４０を検出可能である。なお、蓋検出センサ３２の具体例としては、磁気感知式のホールセンサや光感知センサ、静電容量センサなどが挙げられる。より具体的には、蓋検出センサ３２としてのホールセンサは、閉蓋位置へ移動する鍵盤蓋４０の先頭部分に取り付けた磁石が発生させる磁気を検出し、蓋検出センサ３２としての光感知センサは、閉蓋位置へ移動する鍵盤蓋４０の先頭部分によって光が遮られたことを検出し、蓋検出センサ３２としての静電容量センサは、閉蓋位置へ移動する鍵盤蓋４０の先頭部分と接近したことを検出するといった具合である。
なお、蓋検出センサ３２は、鍵盤蓋検出手段に該当する。
【００３０】
蓋ストッパ３４は、ＣＰＵ１０から送信された指示信号に応じて駆動回路３３に制御されて、ケース４４内に収納される鍵盤蓋４０の前方にその先端が突出するよう配置されたソレノイドである。なお、蓋ストッパ３４は規制手段に該当する。
【００３１】
ヘッドフォン用出力端子３５は、電子機器としてのヘッドフォンのジャック３７を挿入可能な端子であり、図１（ｂ）に示すように本実施形態では鍵盤２０の右側に設置されている。ヘッドフォン用出力端子３５は、楽曲信号を、ジャック３７を介してヘッドフォンへ出力可能である。なお、ヘッドフォン用出力端子３５は入出力部に該当する。
【００３２】
ヘッドフォン検出センサ３６は、ヘッドフォン用出力端子３５に挿入されたジャック３７を検出可能である。なお、ヘッドフォン検出センサ３６の具体例としては、接触センサや光センサなどが挙げられる。より具体的には、ヘッドフォン検出センサ３６としての接触センサは、ヘッドフォン用出力端子３５に挿入されたジャック３７に接触したときにジャック３７を検出し、ヘッドフォン検出センサ３６としての光センサは、ヘッドフォン用出力端子３５に差し込む光がヘッドフォン用出力端子３５に挿入されたジャック３７によって遮られたことを検出するといった具合である。
【００３３】
図１（ａ）に示すように、ＣＰＵ１０は、ＲＯＭ１１内に記憶されたプログラムに従って各種処理を実行する。また、ＣＰＵ１０は、上述した鍵盤２０によってシステムバス５０に送出された鍵スイッチの接点がオン又はオフされた旨の情報及びキーコードを取り込み、ＲＡＭ１２に記憶する。さらに、ＣＰＵ１０は、上述した操作パネル３０によってシステムバス５０に送出された入力パネルの操作子が操作された旨の情報を取り込む。また、ＣＰＵ１０は、後述する接触回避動作（１）および接触回避動作（２）を実行する。
【００３４】
なお、ＣＰＵ１０は、接触判断手段および回避動作実行手段に該当する。
［接触回避動作（１）の説明］
次に、ＣＰＵ３０が実行する接触回避動作（１）について説明する。
【００３５】
この接触回避動作（１）は、ＣＤドライブ３１のトレイ３１ａが装置外部に排出されている場合に、ケース４４内から前方に引き出された鍵盤蓋４０とトレイ３１ａとの接触を回避するために実行される。
【００３６】
まず、蓋検出センサ３２からの出力信号に基づき、鍵盤蓋４０がケース４４内から前方に引き出されたことを検出する。続いて、ＣＤドライブ３１からの出力信号に基づき、ＣＤドライブ３１のトレイ３１ａが装置内部に収納されているか装置外部に排出されているかを判断する。そして、鍵盤蓋４０がケース４４内から前方に引き出されたことを検出した場合に、ＣＤドライブ３１のトレイ３１ａが装置外部に排出されていると判断したときには、鍵盤蓋４０とトレイ３１ａとの接触が発生する可能性があると判断して、次の（１−１）〜（１−４）のような前記接触の発生を回避するための回避動作を状況に応じて組み合わせて実行する。
【００３７】
（１−１）ＣＤドライブ３１のトレイ３１ａを装置内部に収納させる。具体的には、ＣＰＵ１０が、トレイ３１ａを装置内部へ収納するよう指示する指示信号をＣＤドライブ３１の制御部３１ｂに対して送信する。一方、ＣＤドライブ３１では、トレイ３１ａが装置外部に排出されているときには、受信した指示信号に応じて、トレイ３１ａを装置内部へ収納させる。このようにすれば、前記接触の発生を回避することができる。
【００３８】
（１−２）警告音を出力する。具体的には、前記接触の発生を回避するよう促す旨の警告音をスピーカ１９から放音させる。一例を挙げると、ブザー音を放音することや、音声による警告メッセージを放音することなどが挙げられる。このようにすれば、利用者に対して前記接触の発生を回避するよう促すことができる。
【００３９】
（１−３）警告メッセージを表示する。具体的には、前記接触の発生を回避するよう促す旨の情報を操作パネル３０の表示パネル３３０に表示させる。このようにすれば、利用者に対して前記接触の発生を回避するよう促すことができる。
【００４０】
（１−４）鍵盤蓋４０を停止させる。具体的には、駆動回路３３を介して蓋ストッパ３４を制御し、蓋ストッパ３４をケース４４内に収納される鍵盤蓋４０の前方に突出させる。このようにすれば、鍵盤蓋４０が閉蓋位置へ移動するのを停止させることで、前記接触の発生を回避することができる。
【００４１】
［接触回避動作（２）の説明］
次に、ＣＰＵ３０が実行する接触回避動作（２）について説明する。
この接触回避動作（２）は、ヘッドフォン用出力端子３５にヘッドフォンのジャック３７が挿入されている場合に、ケース４４内から前方に引き出された鍵盤蓋４０とヘッドフォンのジャック３７とが接触したり鍵盤蓋４０がヘッドフォンのコードを挟んだりすることを回避するために実行される。なお、以下の説明では、ケース４４内から前方に引き出された鍵盤蓋４０とヘッドフォンのジャック３７とが接触すること、および鍵盤蓋４０がヘッドフォンのコードを挟むことを含めて「接触」と表現する。
【００４２】
まず、蓋検出センサ３２からの出力信号に基づき、鍵盤蓋４０がケース４４内から前方に引き出されたことを検出する。続いて、ヘッドフォン検出センサ３６からの出力信号に基づき、ヘッドフォン用出力端子３５にジャック３７が挿入されているか否かを判断する。そして、鍵盤蓋４０がケース４４内から前方に引き出されたことを検出した場合に、ヘッドフォン用出力端子３５にジャック３７が挿入されていると判断したときには、前記接触が発生する可能性があると判断して、上述の（１−２）〜（１−４）のような前記接触の発生を回避するための回避動作を状況に応じて組み合わせて実行する。
【００４３】
［第一実施形態の効果］
（１）このように第一実施形態の電子オルガン１によれば、ＣＰＵ３０が、鍵盤蓋４０がケース４４内から前方に引き出されたことを検出した場合に、ＣＤドライブ３１のトレイ３１ａが装置外部に排出されているときには、鍵盤蓋４０とトレイ３１ａとの接触が発生する可能性があると判断して、上述の（１−１）〜（１−４）のような前記接触の発生を回避するための回避動作を実行する。
【００４４】
このことにより、電子オルガン１が備える鍵盤蓋４０が鍵盤２０および鍵盤２０の近傍に設置されたＣＤドライブ３１を覆うように閉じる際に、鍵盤蓋４０がＣＤドライブ３１のトレイ３１ａやコンパクトディスクと接触するのを回避することができる。
【００４５】
（２）また、第一実施形態の電子オルガン１によれば、ＣＰＵ３０が、鍵盤蓋４０がケース４４内から前方に引き出されたことを検出した場合に、ヘッドフォン用出力端子３５にジャック３７が挿入されているときには、鍵盤蓋４０とヘッドフォンのジャック３７との接触や、鍵盤蓋４０がヘッドフォンのコードを挟むこと（以下接触）が発生する可能性があると判断して、上述の（１−２）〜（１−４）のような前記接触の発生を回避するための回避動作を実行する。
【００４６】
このことにより、電子オルガン１が備える鍵盤蓋４０が鍵盤２０および鍵盤２０の近傍に設置されたＣＤドライブ３１を覆うように閉じる際に、鍵盤蓋４０がヘッドフォン用出力端子３５に挿入されたヘッドフォンのジャック３７やヘッドフォンのコードと接触するのを回避することができる。
【００４７】
［他の実施形態］
以上、本発明の一実施形態について説明したが、本発明は上記実施形態に限定されるものではなく、以下のような様々な態様にて実施することが可能である。
【００４８】
（１）上記実施形態では、ＣＰＵ１０が、鍵盤蓋４０を停止させるために駆動回路３３を介して蓋ストッパ３４を制御し、蓋ストッパ３４を鍵盤蓋４０の前方に突出させるが、これには限られず、蓋ストッパ３４を鍵盤蓋４０の側面などに押し付けるように当接させてもよい。一例を挙げると、蓋ストッパ３４をゴム製のブレーキ部材として構成するといった具合である。このようにすれば、蓋ストッパ３４が鍵盤蓋４０に当接することで、蓋ストッパ３４と移動する鍵盤蓋４０との間の摩擦係数が大きくなって抵抗が生じ、鍵盤蓋４０が移動する速度が遅くなるとともに、利用者の手に伝わる鍵盤蓋４０の質感が変化するので、利用者に前記接触が発生する可能性があることを知らせることができ、利用者に対して前記接触の発生を回避するよう促すことができる。また、蓋ストッパ３４を鍵盤蓋４０により強く当接させれば、鍵盤蓋４０が閉蓋位置へ移動するのを停止させることもでき、前記接触の発生を回避することができる。
【００４９】
（２）上記実施形態では、本発明を、演奏者から見て前後方向に並ぶ多数の細長い板状の蓋部材４１が蝶番（図示省略）により互いに連結されて構成された鍵盤蓋４０に適用した例を挙げたが、これには限られない。例えば、鍵盤の前方側を覆う板状の前蓋と後方側を覆う板状の後蓋とを蝶番で連結した構造を有する鍵盤蓋に本発明を適用してもよい。この場合、蓋検出センサ３２については、ケース内に収納される鍵盤蓋の前蓋の先頭部分の近傍に配置し、ケースから前方に引き出され始めた鍵盤蓋の前蓋を検出可能にすることが考えられる。
【００５０】
また、鍵盤蓋案内部としての回動軸によって楽器本体の蓋支持部に回動可能に支持された鍵盤蓋に本発明を適用してもよい。この場合、蓋検出センサ３２については、閉蓋位置にある鍵盤蓋の後端部付近に配置し、開蓋位置へ向けて回動を始めた鍵盤蓋の後端部を検出可能にすることが考えられる。
【００５１】
（３）上記実施形態では、鍵盤２０の近傍に設置される入出力部の具体例としてＣＤドライブおよびヘッドフォン用出力端子を挙げたが、これには限られない。入出力部の具体例としては、上述のＣＤドライブやＤＶＤドライブ、ＦＤドライブ、ヘッドフォン用出力端子、ＵＳＢ用入出力端子などが挙げられる。また、電子機器の具体例としては、入出力部としてのヘッドフォン用出力端子に接続されたヘッドフォンのコードおよびジャックや、ＵＳＢ用入出力端子に接続されたＵＳＢメモリなどが挙げられる。また、メディアの具体例としては、ＣＤドライブから排出された状態のコンパクトディスクやＣＤドライブから排出された状態のＤＶＤディスク、ＦＤドライブから排出された状態のフロッピーディスク（登録商標）などが挙げられる。
【図面の簡単な説明】
【００５２】
【図１】（ａ）は電子オルガンの構成を示すブロック図であり、（ｂ）は電子オルガンの鍵盤を上方から見た外観図であり、（ｃ）は図１（ｂ）における操作パネルを拡大して示す説明図である。
【図２】電子オルガンの側断面図である。
【符号の説明】
【００５３】
１…電子オルガン、１０…鍵盤、１１…ＲＯＭ、１２…ＲＡＭ、１４…音源回路（ＴＧ）、１５…波形メモリ、１６…デジタル信号処理回路（ＤＳＰ）、１７…Ｄ／Ａ変換回路（Ｄ／Ａ）、１８…スピーカ出力回路、１９…スピーカ、２０…鍵盤、３０…操作パネル、３１…ＣＤドライブ、３１ａ…ＣＤドライブのトレイ、３１ｂ…ＣＤドライブの制御部、３２…蓋検出センサ、３３…駆動回路、３４…蓋ストッパ、３５…ヘッドフォン用出力端子、３６…ヘッドフォン検出センサ、３７…ヘッドフォンのジャック、４０…鍵盤蓋、４１…蓋部材、４３…ガイド、４４…ケース、５０…システムバス、２１０…鍵、３１０…入力パネル、３２０…操作子、３３０…表示パネル
【図１】
2009244510.tif 000003
【図２】
2009244510.tif 000004